(57)【要約】デジタル画像を視認および操作するための方法および装置が、開示される。一例示的装置は、複数のコンテキスト適応ボタン制御を介してユーザ入力を受信するように構成される、コントローラを含み、複数のコンテキスト適応ボタン制御はそれぞれ、デジタル画像を視認および操作するための少なくとも１つの機能と関連付けられている。コントローラは、デジタル医療画像の少なくとも１つのコンテキストを決定し、決定されたコンテキストに基づいて、デジタル画像を視認および操作するための少なくとも１つの機能を変更するように構成される。
2020501246.tif 000002
【特許請求の範囲】
【請求項１】
コントローラであって、
複数のコンテキスト適応ボタン制御であって、前記複数のコンテキスト適応ボタン制御のそれぞれは、デジタル画像を視認および操作するための少なくとも１つの機能と関連付けられている、複数のコンテキスト適応ボタン制御
を備え、前記コントローラは、
デジタル医療画像の少なくとも１つのコンテキストを決定することと、
前記決定されたコンテキストに基づいて、デジタル画像を視認および操作するための前記少なくとも１つの機能を変更することと
を行うように構成される、コントローラ。
【請求項２】
前記少なくとも１つのコンテキストは、患者情報、コントローラ設定、画像概要、ワークフロー情報、乳房トモシンセシス視認モード、乳房２Ｄマンモグラフィ視認モード、乳房磁気共鳴視認モード、乳房超音波視認モード、およびコンピュータ断層撮影視認モードのうちの少なくとも１つを備える、請求項１に記載のコントローラ。
【請求項３】
前記デジタル医療画像の少なくとも１つのコンテキストを決定することは、前記コントローラに接続されるコンピューティングデバイス上で動作する少なくとも１つのコンテキストを決定することを含む、前記請求項のいずれかに記載のコントローラ。
【請求項４】
前記デジタル医療画像の少なくとも１つのコンテキストを決定することは、前記コントローラ上で動作する少なくとも１つのコンテキストを決定することを含む、前記請求項のいずれかに記載のコントローラ。
【請求項５】
前記コントローラは、前記デジタル医療画像の第１のコンテキストを決定し、前記第１のコンテキストに基づいて、デジタル画像を視認および操作するための第１の機能を変更するように構成され、前記コントローラは、前記第１のコンテキストと異なる第２のコンテキストを決定し、前記第２のコンテキストに基づいて、デジタル画像を視認および操作するための第２の機能を変更するように構成され、前記第２の機能は、前記第１の機能と異なる、前記請求項のいずれかに記載のコントローラ。
【請求項６】
前記少なくとも１つの機能は、１つ以上の画像操作ツール、１つ以上の報告フローツール、１つ以上の注釈ツール、１つ以上の患者ワークフローツール、１つ以上の磁気共鳴画像ツール、１つ以上の超音波画像ツール、１つ以上のナビゲーションツールを備える、請求項１に記載のコントローラ。
【請求項７】
前記デジタル医療画像は、乳房トモシンセシス画像、乳房２Ｄマンモグラフィ画像、乳房磁気共鳴画像、乳房超音波画像、およびコンピュータ断層撮影画像のうちの少なくとも１つを備える、前記請求項のいずれかに記載のコントローラ。
【請求項８】
ディスプレイ画面をさらに備え、
前記コントローラは、前記ディスプレイ画面を介して、デジタル医療画像、保健医療情報、コントローラ設定、ワークフロー情報、および仮想ボタンのうちの少なくとも１つを表示するように構成される、前記請求項のいずれかに記載のコントローラ。
【請求項９】
前記少なくとも１つの機能は、前記コントローラのディスプレイ画面上に表示される、前記請求項のいずれかに記載のコントローラ。
【請求項１０】
前記ディスプレイ画面は、タッチスクリーンを備える、請求項９に記載のコントローラ。
【請求項１１】
前記複数のコンテキスト適応ボタン制御の少なくとも一部は、前記ディスプレイ画面上に表示される、請求項９に記載のコントローラ。
【請求項１２】
複数のプログラマブルボタン制御をさらに備える、前記請求項のいずれかに記載のコントローラ。
【請求項１３】
複数の組み込まれるボタン制御をさらに備える、前記請求項のいずれかに記載のコントローラ。
【請求項１４】
前記デジタル医療画像のコンテキストを決定することは、前記コントローラに接続されるコンピューティングデバイス上に表示されている前記デジタル医療画像の撮像モダリティを決定することを含む、前記請求項のいずれかに記載のコントローラ。
【請求項１５】
可変直径を備えるスクロールホイールをさらに備える、前記請求項のいずれかに記載のコントローラ。
【請求項１６】
前記可変直径は、前記コンピューティングデバイスのディスプレイ上の前記乳房トモシンセシス画像のスライスを通したスクロールの速度を制御するように構成される、請求項１５に記載のコントローラ。
【請求項１７】
前記デジタル画像は、乳房トモシンセシス画像を備え、前記コントローラは、前記少なくとも１つのスクロールホイールのアクティブ化に基づいて、制御信号を提供し、前記コンピューティングデバイスのディスプレイ上の前記乳房トモシンセシス画像のスライスを通してスクロールするように構成される、請求項１５に記載のコントローラ。
【請求項１８】
前記デジタル画像は、乳房トモシンセシス画像を備え、前記コントローラは、第１の直径を伴う第１の位置における前記少なくとも１つのスクロールホイールのアクティブ化に基づいて、第１の速度の制御信号を提供し、第２の直径を伴う第２の位置における前記少なくとも１つのスクロールホイールのアクティブ化に基づいて、第２の速度の制御信号を提供し、前記コンピューティングデバイスのディスプレイ上の前記乳房トモシンセシス画像のスライスを通してスクロールするように構成される、請求項１５に記載のコントローラ。
【請求項１９】
前記コントローラの上部部分に配列される物理的スクロールホイールと、
容量タッチスクロールホイールと
をさらに備える、前記請求項のいずれかに記載のコントローラ。
【請求項２０】
複数のコンテキスト適応ボタン制御の少なくとも一部は、前記容量タッチスクロールホイールを備える、前記請求項のいずれかに記載のコントローラ。
【請求項２１】
前記複数のボタン制御の少なくとも一部は、少なくとも１つの機能群内に配列される、前記請求項のいずれかに記載の保健医療情報コントローラ。
【請求項２２】
前記少なくとも１つの機能群は、注釈、診断ツール、患者ナビゲーション、グローバル画像ツール、およびタクティカル画像ツールのうちの少なくとも１つを備える、請求項２１に記載の保健医療情報コントローラ。
【請求項２３】
保健医療情報システムであって、
前記請求項１−２２のいずれかに記載のコントローラによって提供される制御信号を受信するように構成されるコンピューティングデバイスを備える、システム。
【請求項２４】
保健医療情報を操作する方法であって、
複数のコンテキスト適応ボタン制御を介して、ユーザ入力を受信することであって、前記複数のコンテキスト適応ボタン制御はそれぞれ、デジタル画像を視認および操作するための少なくとも１つの機能と関連付けられている、こと
を含み、
コントローラは、
デジタル医療画像の少なくとも１つのコンテキストを決定することと、
前記決定されたコンテキストに基づいて、デジタル画像を視認および操作するための前記少なくとも１つの機能を変更することと
を行うように構成される、方法。
【発明の詳細な説明】
【技術分野】
【０００１】
（関連出願の相互参照）
本願は、２０１６年１１月２５日に出願された米国仮出願第６２／４２６，３９８号の利益を主張するものであり、該米国仮出願の全体は、参照により本明細書中に援用される。
【０００２】
本開示は、概して、保健医療情報システムに関し、より具体的には、保健医療情報システムを通してアクセス可能な情報を操作、比較、および／または可視化するためのコントローラに関する。
【背景技術】
【０００３】
放射線科医等の医療従事者は、患者診断および治療プロセスの間、種々の形態の保健医療情報と相互作用する。例えば、保健医療ワークフローの間、放射線科医は、１つ以上の集中型情報システム内に記憶される患者保健医療情報にワークステーションからアクセスし得る。保健医療情報は、患者記録と、超音波、Ｘ線、磁気共鳴（ＭＲまたはＭＲＩ）、および／またはコンピュータ断層撮影（ＣＴ）等の複数のモダリティに関する診断画像とを含み得る。各タイプの保健医療情報は、患者医療履歴を通したスクロール、「スタック」または一連の医療画像を通した読影またはナビゲート、および患者記録への注釈等の効率的操作および可視化のための特定の機能を要求する。しかしながら、保健医療情報にアクセスするための従来のワークステーションコントローラは、概して、特定の撮像モダリティまたは保健医療情報のタイプに焦点を当てた制限された機能セットを含む。故に、異なる位相の治療および種々の形態の保健医療情報にわたった医療従事者のための全体的ワークフローの効率性および有効性は、現在、限定されている。
【０００４】
放射線科医作業空間および環境は、他の医療従事者のものよりも独特であることを理解されたい。放射線科医は、暗く、静かで、かつ高度に制御された空間である、その読影環境に非常に敏感であって、それを熟知している。長年にわたって、彼らは、画像を視認するために使用する特定のワークフローおよび方法または画像読影姿勢さえ発展させてきた。放射線科医にとって、診断およびスクリーニング画像に極めて焦点を当て、誤りを防止し、正確度を確実にすることが重要である。これは、任意の誤りまたは不正確度が、癌の偽陽性検出、すなわち、誤診となり得るためである。典型的には、放射線科医は、毎日、数千枚もの画像を視認し、画像視認ワークステーションの正面でその１日の全体を費やす。加えて、放射線科医は、典型的には、患者の画像の精査に約３０秒を費やし、その精査の結果を報告するために９０秒を費やすため、極めて効率的である必要がある。ワークステーションの管理または正しいメニューまたは正しいキーに辿り着くためのその制御に費やされる時間は、非効率的に費やされる時間であって、より長い精査時間、より多くの放射線科医を雇用する必要性、および患者にとっては、その結果を得るためのより長い待機時間または予約を得るためのより長い待機時間をもたらす。毎回、放射線科医は、画像を精査する間、ディスプレイ画面から目を逸らす必要があり、注意が逸らされ、かつ癌を診断する際の誤りを意味し得る。典型的放射線科医は、画像を視認するために使用するために、最大３つ、時として、４つのモニタを有する。複数のディスプレイを有することは、望ましいが、放射線設備内の空間は、非常に貴重である。それ自体でさえ、ディスプレイは、画像が高解像度で視認されることを可能にするように大型かつ高価である。
【０００５】
これらおよび他の考慮点に関して、本発明は、有用であり得る。
【発明の概要】
【課題を解決するための手段】
【０００６】
本実施形態は、ここで、いくつかの例示的実施形態が示される、付随の図面を参照して、より完全に以降で説明されるであろう。しかしながら、本開示の主題は、多くの異なる形態で具現化されてもよく、本明細書に記載される実施形態に対する限定として解釈されるべきではない。むしろ、これらの実施形態は、本開示が、徹底的かつ完全となり、本主題の範囲を当業者に完全に伝達するであろうように提供される。図面では、同様の番号は、全体を通して同様の要素を指す。
【図面の簡単な説明】
【０００７】
一例として、開示されるデバイスの具体的実施形態が、ここで、付随の図面を参照して説明されるであろう。
【０００８】
【図１】図１は、種々の実施形態を表し得る、動作環境１００の実施例を図示する。
【図２Ａ】図２Ａ−２Ｋは、第１の実施形態による、保健医療情報コントローラの種々の側面を描写する。
【図２Ｂ】図２Ａ−２Ｋは、第１の実施形態による、保健医療情報コントローラの種々の側面を描写する。
【図２Ｃ】図２Ａ−２Ｋは、第１の実施形態による、保健医療情報コントローラの種々の側面を描写する。
【図２Ｄ】図２Ａ−２Ｋは、第１の実施形態による、保健医療情報コントローラの種々の側面を描写する。
【図２Ｅ】図２Ａ−２Ｋは、第１の実施形態による、保健医療情報コントローラの種々の側面を描写する。
【図２Ｆ】図２Ａ−２Ｋは、第１の実施形態による、保健医療情報コントローラの種々の側面を描写する。
【図２Ｇ】図２Ａ−２Ｋは、第１の実施形態による、保健医療情報コントローラの種々の側面を描写する。
【図２Ｈ】図２Ａ−２Ｋは、第１の実施形態による、保健医療情報コントローラの種々の側面を描写する。
【図２Ｉ】図２Ａ−２Ｋは、第１の実施形態による、保健医療情報コントローラの種々の側面を描写する。
【図２Ｊ】図２Ａ−２Ｋは、第１の実施形態による、保健医療情報コントローラの種々の側面を描写する。
【図２Ｋ】図２Ａ−２Ｋは、第１の実施形態による、保健医療情報コントローラの種々の側面を描写する。
【図３Ａ】図３Ａ−３Ｊは、第２の実施形態による、保健医療情報コントローラの種々の側面を描写する。
【図３Ｂ】図３Ａ−３Ｊは、第２の実施形態による、保健医療情報コントローラの種々の側面を描写する。
【図３Ｃ】図３Ａ−３Ｊは、第２の実施形態による、保健医療情報コントローラの種々の側面を描写する。
【図３Ｄ】図３Ａ−３Ｊは、第２の実施形態による、保健医療情報コントローラの種々の側面を描写する。
【図３Ｅ】図３Ａ−３Ｊは、第２の実施形態による、保健医療情報コントローラの種々の側面を描写する。
【図３Ｆ】図３Ａ−３Ｊは、第２の実施形態による、保健医療情報コントローラの種々の側面を描写する。
【図３Ｇ】図３Ａ−３Ｊは、第２の実施形態による、保健医療情報コントローラの種々の側面を描写する。
【図３Ｈ】図３Ａ−３Ｊは、第２の実施形態による、保健医療情報コントローラの種々の側面を描写する。
【図３Ｉ】図３Ａ−３Ｊは、第２の実施形態による、保健医療情報コントローラの種々の側面を描写する。
【図３Ｊ】図３Ａ−３Ｊは、第２の実施形態による、保健医療情報コントローラの種々の側面を描写する。
【図４Ａ】図４Ａ−４Ｄは、いくつかの実施形態による、コントローラディスプレイ画面を描写する。
【図４Ｂ】図４Ａ−４Ｄは、いくつかの実施形態による、コントローラディスプレイ画面を描写する。
【図４Ｃ】図４Ａ−４Ｄは、いくつかの実施形態による、コントローラディスプレイ画面を描写する。
【図４Ｄ】図４Ａ−４Ｄは、いくつかの実施形態による、コントローラディスプレイ画面を描写する。
【図５Ａ】図５Ａ−５Ｋは、第３の実施形態による、コントローラの種々の側面を描写する。
【図５Ｂ】図５Ａ−５Ｋは、第３の実施形態による、コントローラの種々の側面を描写する。
【図５Ｃ】図５Ａ−５Ｋは、第３の実施形態による、コントローラの種々の側面を描写する。
【図５Ｄ】図５Ａ−５Ｋは、第３の実施形態による、コントローラの種々の側面を描写する。
【図５Ｅ】図５Ａ−５Ｋは、第３の実施形態による、コントローラの種々の側面を描写する。
【図５Ｆ】図５Ａ−５Ｋは、第３の実施形態による、コントローラの種々の側面を描写する。
【図５Ｇ】図５Ａ−５Ｋは、第３の実施形態による、コントローラの種々の側面を描写する。
【図５Ｈ】図５Ａ−５Ｋは、第３の実施形態による、コントローラの種々の側面を描写する。
【図５Ｉ】図５Ａ−５Ｋは、第３の実施形態による、コントローラの種々の側面を描写する。
【図５Ｊ】図５Ａ−５Ｋは、第３の実施形態による、コントローラの種々の側面を描写する。
【図５Ｋ】図５Ａ−５Ｋは、第３の実施形態による、コントローラの種々の側面を描写する。
【図６Ａ】図６Ａ−６Ｋは、第４の実施形態による、コントローラの種々の側面を描写する。
【図６Ｂ】図６Ａ−６Ｋは、第４の実施形態による、コントローラの種々の側面を描写する。
【図６Ｃ】図６Ａ−６Ｋは、第４の実施形態による、コントローラの種々の側面を描写する。
【図６Ｄ】図６Ａ−６Ｋは、第４の実施形態による、コントローラの種々の側面を描写する。
【図６Ｅ】図６Ａ−６Ｋは、第４の実施形態による、コントローラの種々の側面を描写する。
【図６Ｆ】図６Ａ−６Ｋは、第４の実施形態による、コントローラの種々の側面を描写する。
【図６Ｇ】図６Ａ−６Ｋは、第４の実施形態による、コントローラの種々の側面を描写する。
【図６Ｈ】図６Ａ−６Ｋは、第４の実施形態による、コントローラの種々の側面を描写する。
【図６Ｉ】図６Ａ−６Ｋは、第４の実施形態による、コントローラの種々の側面を描写する。
【図６Ｊ】図６Ａ−６Ｋは、第４の実施形態による、コントローラの種々の側面を描写する。
【図６Ｋ】図６Ａ−６Ｋは、第４の実施形態による、コントローラの種々の側面を描写する。
【図７Ａ】図７Ａ−７Ｌは、第５の実施形態による、コントローラの種々の側面を描写する。
【図７Ｂ】図７Ａ−７Ｌは、第５の実施形態による、コントローラの種々の側面を描写する。
【図７Ｃ】図７Ａ−７Ｌは、第５の実施形態による、コントローラの種々の側面を描写する。
【図７Ｄ】図７Ａ−７Ｌは、第５の実施形態による、コントローラの種々の側面を描写する。
【図７Ｅ】図７Ａ−７Ｌは、第５の実施形態による、コントローラの種々の側面を描写する。
【図７Ｆ】図７Ａ−７Ｌは、第５の実施形態による、コントローラの種々の側面を描写する。
【図７Ｇ】図７Ａ−７Ｌは、第５の実施形態による、コントローラの種々の側面を描写する。
【図７Ｈ】図７Ａ−７Ｌは、第５の実施形態による、コントローラの種々の側面を描写する。
【図７Ｉ】図７Ａ−７Ｌは、第５の実施形態による、コントローラの種々の側面を描写する。
【図７Ｊ】図７Ａ−７Ｌは、第５の実施形態による、コントローラの種々の側面を描写する。
【図７Ｋ】図７Ａ−７Ｌは、第５の実施形態による、コントローラの種々の側面を描写する。
【図７Ｌ】図７Ａ−７Ｌは、第５の実施形態による、コントローラの種々の側面を描写する。
【図８】図８は、第４の実施形態による、コントローラの種々の側面を描写する。
【発明を実施するための形態】
【０００９】
種々の実施形態による、本明細書に説明されるワークステーションコントローラは、人間工学的であって、使用が容易であって、かつ放射線科医を読影ゾーン内に留まらせる、コントローラを提供することによって、上記に説明される問題を解決する。コントローラは、放射線科医が、アクセスされている機能を確認するために下を向く必要なく、コントローラと関連付けられた機能を使用することを可能にする、必要最低限度の設計を使用する。コントローラはさらに、最も頻繁に使用される機能を手の届く範囲内に保つ一方、あまり頻繁に使用されない機能が依然としてアクセス可能であることを可能にすることによって、放射線科医の設備内で使用される机空間の量を最小限にする。コントローラは、全てのものを容易に手が届く範囲内に保ち、かつ付加的画像、機能の検索、または多数のメニューを通したクリック等の「維持管理」に費やされる時間の量を最小限にすることによって、放射線科医の効率性を増加させる。図１は、種々の実施形態を表し得る、動作環境１００の実施例を図示する。図１に描写される動作環境１００は、保健医療情報を保健医療情報システム１１０に提供するように構成される、１つ以上の保健医療情報源１１５ａ−ｎを含んでもよい。いくつかの実施形態では、保健医療情報源１１５ａ−ｎは、保健医療情報を生成するように構成される、コンピューティングデバイス、医療撮像デバイス、保健医療モニタ、および／または同等物を含んでもよい。保健医療情報源１１５ａ−ｎの非限定的実施例は、マンモグラム入手デバイス、乳房トモシンセシスデバイス、Ｘ線撮像デバイス、蛍光透視法撮像デバイス、超音波（ＵＳ）撮像デバイス、コンピュータ断層撮影（ＣＴ）撮像デバイス、磁気共鳴画像診断（ＭＲまたはＭＲＩ）デバイス、陽電子放射断層撮影（ＰＥＴ）撮像デバイス、および／または同等物を含んでもよい。保健医療情報システム１１０は、限定ではないが、病院情報システム（ＨＩＳ）、放射線情報システム（ＲＩＳ）、写真アーカイブおよび通信システム（ＰＡＣＳ）、および／または同等物を含む、保健医療情報を記憶し、そこへのアクセスを提供可能な種々の情報システムを含んでもよい。保健医療情報は、患者を診断する、治療する、または別様にその医療情報と相互作用するために医療従事者によって使用される、任意のタイプの情報を含んでもよい。保健医療情報の非限定的実施例は、デジタル患者記録、デジタル医療画像、および／または同等物を含んでもよい。
【００１０】
図１に示されるように、ワークステーション１２０は、保健医療情報システム１１０を通して、保健医療情報にアクセスするために使用されてもよい。ワークステーション１２０は、ワークステーション１２０のモニタ１３０を介して提示される保健医療情報と相互作用するためのユーザ入力を受信するように構成される、保健医療情報コントローラ（「コントローラ」）１２５を含んでもよい。保健医療情報との相互作用は、概して、モニタ１３０を介してワークステーションコンピューティングデバイス１３５によって提示される保健医療情報を可視化または視認する（例えば、ディスプレイを介して提示される医療画像または患者記録を視認する）、読影する、スクロールする（例えば、ディスプレイを介して提示される一連の医療画像を通してスクロールする）、操作する、編集する、注釈を付ける、ダウンロードする、ナビゲートする、比較する、または別様にそれとインターフェースをとることを含んでもよい。
【００１１】
コントローラ１２５は、保健医療情報にアクセスし、それを提示するように動作する、保健医療情報ソフトウェアアプリケーションを実行する、ワークステーションコンピューティングデバイス１３５に、制御信号を提供するように構成されてもよい。例えば、保健医療情報ソフトウェアアプリケーションは、マンモグラフィおよび／または乳房トモシンセシス（「ＴＯＭＯ」）画像等のＤＩＣＯＭ医療画像を処理および表示可能であってもよい。いくつかの実施形態では、保健医療情報ソフトウェアアプリケーションは、種々の画像処理および測定ツールを提供し、医療画像の可視化、操作、ナビゲーション、比較、および／または解釈を促進してもよい。コントローラ１２５は、マルチモダリティワークステーションコンピューティングデバイス１３５および／またはワークステーションコンピューティングデバイス１３５上で動作する保健医療情報ソフトウェアアプリケーションによって提示される保健医療情報との相互作用を支援するように構成されてもよい。加えて、コントローラ１２５は、限定ではないが、デジタル患者記録、文書処理ドキュメント、スプレッドシートドキュメント、ポータブルドキュメントフォーマット（ＰＤＦ）ドキュメント、データベース、画像ファイル、ビデオファイル、オーディオファイル、および／または同等物を含む、医療画像に特有の情報以外の種々のタイプの保健医療情報との相互作用を統合および／または組み込むように動作してもよい。
【００１２】
いくつかの実施形態では、コントローラ１２５は、コントローラ１２５の動作の側面を制御するように構成される、ハードウェアおよび／またはソフトウェア要素内に実装される、論理を含んでもよい。例えば、コントローラ１２５は、ボタン、ナビゲーション要素（例えば、スクロールホイール）、タッチスクリーン要素、および／またはディスプレイ画面等のコントローラ構成要素の機能性を制御するように構成される、コントローラソフトウェアアプリケーションを実行してもよい。いくつかの実施形態では、ワークステーションコンピューティングデバイス１３５は、いくつかの実施形態による、コントローラ１２５の動作の側面を制御するように構成される、ハードウェアおよび／またはソフトウェア要素（例えば、保健医療情報ソフトウェアアプリケーション）内に実装される、論理を含んでもよい。いくつかの実施形態に従って構成される、コントローラ１２５の機能性は、コントローラ１２５の論理、ワークステーションコンピューティングデバイス１３５の論理、および／またはいくつかのそれらの組み合わせを介して制御されてもよい。実施形態は、本コンテキストに限定されない。
【００１３】
物理的制御および画面上ユーザインターフェースは、放射線科医がワークステーションと相互作用する方法を定義することを理解されたい。さらに、本明細書に説明されるコントローラ２０５の種々の特徴は、放射線科医が、不快感を放射線科医に生じさせることなく、長時間にわたって、コントローラ２０５および関連付けられたワークステーションを使用することを可能にするように設計されていることを理解されたい。図２Ａ−２Ｊは、第１の実施形態による、コントローラの種々の側面を描写する。図２Ａに示されるように、コントローラ２０５は、スクロールホイール２１０と、タッチボタン制御２１５と、ナビゲーション／診断制御２２５とを含んでもよい。コントローラ２０５は、複数のタッチボタン制御２１５および／またはナビゲーション制御２２５を含んでもよいが、１つのみが、図を簡略化するために標識される。ナビゲーション／診断制御２２５の非限定的実施例は、患者フローを進める／戻すおよび／またはコンピュータ支援検出（ＣＡＤ）診断ツールを含んでもよい。タッチボタン制御２１５は、限定ではないが、注釈機能：注釈（例えば、報告、画像、および／または同等物）、マーキング（例えば、報告、画像、および／または同等物）、連結／病変追跡、重要画像マーキング、基準線；診断ツール：ＣＡＤ、マンモグラフィ（ＭＧ）／トモシンセシス（ＴＯＭＯ）のトグル、シネ開始／停止；患者ナビゲーション：フローを進める／戻す、前／次の患者、マンモグラフィナビゲータ（「ＭａｍｍｏＮａｖｉｇａｔｏｒ」）、患者リスト、リセット、詳細検査、患者情報、スクロール、指紋；グローバル画像ツール：概要、ビュー（例えば、軸方向、矢状、冠状、および／または同等物）、処理対象ＭＬＯ、処理対象ＣＣ；および／またはタクティカル画像ツール：拡大、反転、明るさ、パン、ズーム、コントラスト、実サイズ、および／または拡大鏡を含む、種々の機能（例えば、図２Ｅ参照）を提供するように構成されてもよい。図２Ａに描写される実施形態では、ナビゲーション／診断制御２２５は、タッチ／スクロールホイール表面内に位置してもよい。図２Ｂに描写される実施形態を参照すると、ナビゲーション／診断制御２２５のうちの１つ以上のものは、タッチ／スクロールホイール表面の外側に位置してもよい。
【００１４】
いくつかの実施形態では、タッチボタン制御および／またはナビゲーション／診断制御２２５の形状および設置または場所は、制御の機能を示してもよい。ユーザは、ユーザの視線をディスプレイから逸らす必要なく、タッチによって、タッチボタン制御２１５および／またはナビゲーション／診断制御２２５が実施する機能を把握し得る。これは、ユーザの注意が逸れる量を最小限にし、彼らがあるタスクおよび機能の物理的記憶を構築することに時間がかかるタスクを「オートパイロット」式に実施することを可能にする。例えば、正方形ボタンは、モータ駆動構成要素の移動および位置付けを制御するために使用されることができる。正方形ボタンは、水平または垂直にグループ化および配向され、移動の方向を明確にし得る。丸形ボタンは、電源オンおよびオフ等のラッチおよび瞬間的スイッチ、付属照明具、および他の入力のために使用されることができる。ボタンは、凸面または凹面であって、触覚性および区別を改良することができる。
【００１５】
いくつかの実施形態では、タッチボタン制御２１５および／またはナビゲーション／診断制御２２５は、物理的ボタンを含んでもよい。いくつかの実施形態では、タッチボタン制御２１５および／またはナビゲーション／診断制御２２５は、容量／突出容量ボタンを含んでもよい。タッチボタン制御２１５および／またはナビゲーション／診断制御２２５と関連付けられた機能は、限定ではないが、瞬間的アクティブ化（例えば、押下および解放）、持続的アクティブ化、時間閾値を伴うアクティブ化（例えば、３秒押下および保持）、および／または同等物を含む、種々の技法に従ってアクティブ化されてもよい。例えば、コントローラは、タッチボタン制御２１５のうちの１つ以上のものに対する持続的入力の持続時間を決定し、持続時間が閾値以上であることに基づいて、ボタン制御と関連付けられた機能をアクティブ化することができる。
【００１６】
いくつかの実施形態では、タッチボタン制御２１５および／またはナビゲーション／診断制御２２５と関連付けられた機能は、ユーザ−プログラム可能であってもよい。上記に議論されるように、放射線科医は、コントローラの典型的ユーザであって、彼らがそれを長時間にわたって使用するため、個々の放射線科医に独特の特定の作業方法を発展させる。個々の放射線科医の作業選好と併用するためのボタン制御および／またはナビゲーション／診断制御をプログラム可能であることは、放射線科医効率を増加させ、より高い正確度を可能にするであろう。例えば、いくつかの実施形態では、タッチボタン制御２１５および／またはナビゲーション／診断制御２２５のうちの１つ以上のものは、ソフトウェアインターフェース（例えば、保健医療情報ソフトウェアアプリケーションのインターフェースおよび／またはコントローラ３０５のディスプレイ画面３１０等のコントローラのディスプレイ画面）を介してユーザ定義され得る、ブランクキーを含んでもよい。一実施形態では、タッチボタン制御２１５および／またはナビゲーション／診断制御２２５は、それが実施する機能の記号を表示してもよい。ユーザは、タッチボタン制御２１５および／またはナビゲーション／診断制御２２５の機能を再定義してもよく、再プログラムされた機能と関連付けられた記号は、タッチボタン制御および／またはナビゲーション／診断制御２２５の新しい機能を示すように現れてもよい。いくつかの実施形態では、カスタマイズおよび選好は、ハードウェアコントローラとワークステーション１２０上に表示されるソフトウェアとの間で共有される。例えば、ユーザは、ワークステーション上に表示されるソフトウェア上の機能を定義してもよく、同一機能は、タッチボタン制御２１５のうちの１つ等のコントローラ２０５上にプログラムされる。そのような特徴の一例示的実装は、コントローラ２０５およびワークステーションソフトウェアの両方上で選択されるとき、患者リストを表示するためのプログラマブルタッチボタン制御であることができる。
【００１７】
いくつかの実施形態では、スクロールホイール２１０、タッチボタン制御２１５、および／またはナビゲーション診断制御２２５のうちの１つ以上のものは、照明具、音楽、および／または同等物等のユーザの環境の種々の側面を制御するように構成されてもよい。例えば、スクロールホイール２１０の作動は、スピーカの音量を変更する、モニタ明るさを調節する、および／または同等のことのために動作してもよい。
【００１８】
いくつかの実施形態では、タッチボタン制御２１５および／またはナビゲーション／診断制御２２５と関連付けられた機能は、コンテキストベース（すなわち、ソフトウェア状態に基づいて）かつ動的であってもよい。種々の実施形態では、コントローラ２０５は、コンテキストを決定する、または別様にそれと関連付けられてもよい。決定されたコンテキストに基づいて、コントローラ２０５は、異なるタッチボタン制御２１５および／またはナビゲーション／診断制御２２５および異なる関連付けられた機能を表示する。関連付けられた異なるタッチボタン制御２１５および／またはナビゲーション／診断制御２２５は、異なる機能性を制御してもよい。コンテキストの非限定的実施例は、ソフトウェア状態、撮像モダリティ、ウィンドウ調節、口述モード、撮像ワークフロー内の段階、ハンギングプロトコル動作モード、ワークステーションの使用モード、保健医療情報のタイプ、および／または同等物を含んでもよい。例えば、コンテキストは、例えば、保健医療情報ソフトウェアアプリケーションに送信されている、コントローラから入力されたアプリケーションのアクティブ機能を含んでもよい。コンテキストは、診断画像を視認するために使用されている保健医療情報ソフトウェアアプリケーションに応答した診断画像コンテキストを含んでもよい。別の実施例では、コンテキストは、患者記録を視認するために使用されている保健医療情報ソフトウェアアプリケーションに応答した患者記録コンテキストを含んでもよい。故に、タッチボタン制御２１５および／またはナビゲーション／診断制御２２５と関連付けられた機能は、コンテキストに基づいて決定されてもよい。コンテキストベースの動的制御の一実施例は、図２Ｋに示される。本実施例では、画像操作タッチボタン制御２５０ａは、マンモグラフィ画像および精査機能２５５ａがワークステーション上でユーザによってアクセスされると表示される。コントローラ２０５は、コンテキストをマンモグラフィ画像精査２５５ａとして検出し、動的かつ自動的に、マンモグラフィコンテキストに特有の画像操作タッチボタン制御２５０ａを表示する。画像操作タッチボタン制御２５０ａは、タッチ容量式であって、背面照明ディスプレイを使用して表示される。ユーザが、画像操作タッチボタン制御２５０ａのうちの１つを選択すると、コントローラ２０５は、その入力を受信し、関連付けられたコマンドをワークステーションに送信する。同様に、ユーザが、ワークステーションを介して、ＭＲＩ画像にアクセスすると、コントローラ２０５は、ＭＲＩ画像または機能性がアクセスされたことを検出し、自動的かつ動的に、コンテキストベースのタッチボタン制御２１５を変更し、ＭＲＩ制御ボタン２５０ｅをコントローラ２０５上に表示する。コントローラ２０５は、ユーザがＭＲＩボタン２５０ｅのうちの１つを選択することから入力を受信し、関連付けられた機能をワークステーション上で実施する。動的コンテキスト検出機能性は、シーケンシャルであるように機能し、第１のコンテキストベースのタッチボタン制御のセットから、第２のコンテキストベースのタッチボタン制御のセット、第３のタッチボタン制御のセットへと遷移することができる。
【００１９】
いくつかの実施形態では、タッチボタン制御２１５の一部または全部は、ＭＲＩまたは超音波画像表示に関する選択の受信等、具体的ユーザ入力の受信に基づいて、画像操作制御２０５ａからＭＲＩまたは超音波画像制御２５０ｅまたは２５０ｆに変更することができる。他の実施形態では、タッチボタン制御２１５の一部または全部は、放射線科医ユーザのワークフロー内の次のステップを予測する、事前にプログラムされた論理機能のセットに基づいて、変化することができ、例えば、ユーザが画像ナビゲーションワークフロー２５５ｃ内の画面の特定の区分を検査しているかどうかを決定し（すなわち、ユーザからのホバー機能入力を決定する）、コントローラ２０５は、ユーザが注釈機能性にアクセスすることを所望していることを予期して、タッチボタン制御２１５を注釈制御２５０ｃに変更する。実施形態は、本コンテキストに限定されない。
【００２０】
図２Ａを参照すると、いくつかの実施形態では、コントローラ２０５は、タッチ／スクロールホイール表面２２０を含んでもよい。いくつかの実施形態では、タッチ／スクロールホイール表面２２０は、タッチベースのスクロールホイール機能性をコントローラ２０５に提供するように構成される、容量タッチ要素を含んでもよい。対照的に、スクロールホイール２１０は、対応する入力をアクティブ化するために物理的操作（例えば、回転を介して）を要求する、ホイール要素を含んでもよい。いくつかの実施形態では、スクロールホイール２１０および／またはタッチ／スクロールホイール表面２２０の操作は、種々の特徴、機能性、および／またはナビゲーション機能をアクティブ化してもよい。例えば、タッチ／スクロールホイール表面２２０の回転（例えば、指をタッチ／スクロールホイール表面２２０の表面の周囲で回転させる）または指向性運動（例えば、タッチ／スクロールホイール表面２２０の指向性要素を押下する）のいずれかが、種々の特徴、機能性、および／またはナビゲーション機能をアクティブ化してもよい。スクロールホイール２１０は、図７Ｃにさらに図示および説明されるようなスクロールホイール７２０に類似してもよい。別の実施例では、タッチ／スクロールホイール表面２２０の順方向回転運動（例えば、指をタッチ／スクロールホイール表面２２０の表面の周囲で時計回り運動において回転させる）は、保健医療情報ソフトウェアアプリケーションに、一連の画像を通して第１の方向にスクロールさせ得る一方、逆方向回転運動（例えば、反時計回り運動）は、保健医療情報ソフトウェアアプリケーションに、一連の画像を通して第２の方向にスクロールさせ得る。実施形態は、本コンテキストに限定されない。
【００２１】
種々の実施形態では、コントローラ２０５は、例えば、口述機能性に提供するために、マイクロホン２７０を含んでもよい。マイクロホン２７０は、マイクロホン制御ボタン２４０を使用して制御されてもよい（例えば、アクティブ化される）。マイクロホン制御は、ソフトウェア口述アプリケーションを実行するワークステーションコンピューティングデバイス１３５に、制御信号を提供するように構成されてもよい。いくつかの実施形態では、コントローラ２０５は、認可されたユーザのみがコントローラ２０５および／またはコントローラ２０５のある特徴を動作させることを可能にするための種々のセキュリティ特徴を含んでもよい。故に、いくつかの実施形態では、コントローラ２０５は、ユーザを認証するためのバイオメトリック要素２３５を含んでもよい。種々の実施形態では、バイオメトリック要素２３５は、指紋読取機を含んでもよい。図２Ｃに示されるように、コントローラは、コンピューティングデバイス、電子デバイス、および／または同等物等の種々のデバイスにコントローラ２０５を結合するために、種々のポート２４５を含んでもよい。少なくともいくつかの実施形態では、コントローラ２０５は、複数のワークステーション１２０を制御してもよい。いくつかの実施例では、コントローラは、ポート２４５を介して、異なるワークステーション１２０に物理的に接続されてもよく、他の実施例では、コントローラ２０５は、無線で接続されてもよい。コントローラは、コントローラ２０５が異なるワークステーション１２０の制御間で切り替えることを可能にする、タッチボタンを含んでもよい。
【００２２】
いくつかの実施形態では、ポート２４５は、マイクロホンジャック、ヘッドホンジャック、および／または同等物を含んでもよい。いくつかの実施形態では、ポート２４５は、ユニバーサルシリアルバス（ＵＳＢ）等の種々の通信プロトコルに従って構成される、ポートを含んでもよい。いくつかの実施形態では、ポート２４５は、ハブ（例えば、ＵＳＢハブ）として動作するように構成されてもよい。コントローラ２０５は、ポート２４５を介して、限定ではないが、バーコード読取機、マイクロホン、ヘッドホン、コンピューティングデバイス、ポータブル記憶デバイス、および／または同等物を含む、種々のデバイスとインターフェースをとるように構成されてもよい。単一ポート２４５が、コントローラ２０５の正面上に描写されるが、実施形態は、そのように限定されず、コントローラ２０５は、コントローラ２０５上の種々の場所に配列される、複数のポート２４５を含んでもよい（例えば、図２Ｃ参照）。
【００２３】
種々の実施形態では、コントローラ２０５は、例えば、スクロールホイール２１０および／またはタッチボタン制御２１５を介してコントローラ２０５を操作することに従事するユーザの掌を受容するように構成される、パームレスト面積２３０を含んでもよい。コントローラ２０５は、例えば、内向きに輪郭が付けられた側区分２８０を含み、実質的にＴ形状であるように形成され、コントローラのすぐ隣のネガティブスペース２８５をもたらしてもよい。このように、オペレータは、コントローラ２０５を使用しながら、キーボード、ドキュメント、モバイルコンピューティングデバイス（例えば、スマートフォンまたはタブレットコンピューティングデバイス）、および／または同等物等のある物体を作業表面の近くに、そして作業表面上の都合のよい場所に維持し得る。加えて、非密集面積２９０が、スクロールホイール２２０の片側または両側等のスクロールホイール２２０の周囲の任意の部分上に含まれ、スクロールホイール２２０を操作する手の１つ以上の指のためのフィンガレストを提供してもよい。一般に、「レスト面積」（例えば、パームレスト面積２３０および／または非密集面積２９０）として構成される、コントローラ２０５の面積は、機能をアクティブ化せずに、手の一部が静置することを可能にしながら、機能インターフェース（例えば、スクロールホイール２１０および／またはタッチボタン制御２１５）の周囲に構成されてもよい。例えば、スクロールホイール２１０のための環状体が存在する場合、手の一部（例えば、掌または指）がコントローラ２０５上に静置することを可能にするために、「死空間」（すなわち、機能要素を欠いた面積）がその周囲にまたはすぐ隣に存在し得る。加えて、コントローラ２０５（および下記に説明されるコントローラ３０５、５０５、および６０５）の形態およびコントローラ上の目印物体（例えば、ホーム位置、レスト面積、および／または同等物）の場所および形態は、オペレータが、コントローラ２０５を見ずに、コントローラ２０５を効率的かつ効果的に動作させることを可能にするための優れた物理的参照点を提供し得る。物理的参照点の非限定的実施例は、パームレスト、可変ボタン高さ、コントラスト材料、ボタン分界（例えば、ボタン上の物理的マークまたは他の突出部）、ボタン形状、および／または物理的ボタン場所を含んでもよい。さらに、いくつかの実施形態では、コントローラは、６自由度入力デバイス（例えば、「６ＤｏＦパック」）として構成され、ＭＲ画像を含む、３Ｄデータセットの制御および／またはナビゲーションを可能にしてもよい。ある機能レベルでは、６自由度コントローラは、ソフトウェアのパン、チルト／回転、およびズーム能力を１つのハードウェア制御の中に組み合わせてもよい。例えば、６自由度コントローラは、例えば、パンとチルト／回転との間のモード変更を必要とせずに、３Ｄ空間内の３Ｄモデルの自由かつ自然な移動を可能にし得る。いくつかの実施形態では、コントローラ２０５（および下記に説明されるコントローラ３０５、５０５、および６０５）は、コントローラ２０５を動作させるために使用されていな一方の手を使用した第２のコントローラ（例えば、マウスまたはキーボード）の使用を支援してもよい。例えば、右利きの個人が、左手を使用して、２０５を動作させながら、また、その右手を使用して、マウスを介して、アプリケーションと相互作用する、またはその逆であってもよい。
【００２４】
図２Ｃを参照すると、そこには、いくつかの実施形態による、コントローラ２０５が描写されている。図２Ｃに示されるように、コントローラは、コンピューティングデバイス、電子デバイス、および／または同等物等の種々のデバイスにコントローラ２０５を結合するために、種々のポート２４５を含んでもよい。いくつかの実施形態では、ポート２４５は、マイクロホンジャック、ヘッドホンジャック、および／または同等物を含んでもよい。いくつかの実施形態では、ポート２４５は、ユニバーサルシリアルバス（ＵＳＢ）等の種々の通信プロトコルに従って構成される、ポートを含んでもよい。いくつかの実施形態では、ポート２４５は、ハブ（例えば、ＵＳＢハブ）として動作するように構成されてもよい。コントローラ２０５は、ポート２４５を介して、限定ではないが、バーコード読取機、マイクロホン、ヘッドホン、コンピューティングデバイス、ポータブル記憶デバイス、および／または同等物を含む、種々のデバイスとインターフェースをとるように構成されてもよい。単一ポート２４５が、図２Ｃに図示されるコントローラ２０５上の特定の場所に描写されるが、実施形態は、そのように限定されず、コントローラ２０５は、コントローラ２０５上の種々の場所に配列される、複数のポート２４５を含んでもよい（例えば、図２Ａ参照）。図２Ｄは、いくつかの実施形態による、コントローラ２０５の側面図を描写する。図２Ｄに示されるように、コントローラ２０５またはコントローラ２０５の一部は、凹面または略凹面形状を有してもよい。このように、コントローラ２０５は、コントローラ２０５の使用の間、人間工学的支持をオペレータの手に提供してもよい。
【００２５】
いくつかの実施形態では、コントローラ２０５の種々の制御要素は、機能性に従ってグループ化されてもよい。図２Ｅは、いくつかの実施形態による、コントローラ２０５のための機能群２５５を描写する。いくつかの実施形態では、機能群２５５は、機能的にグループ化された制御（すなわち、マスク、ガイドライン、反転、減算、および／または同等物）のシーケンシャル動作を可能にし得る。図２Ｅに示されるように、コントローラは、注釈機能群２６０ａ、診断ツール機能群２６０ｂ、ナビゲーション−患者機能群２６０ｃ、画像ツール−グローバル機能群２６０ｄ、および／または画像ツール−タクティカル機能群２６０ｅを含んでもよい。グループ化は、放射線科医によって最も一般的または最も頻繁に使用される機能のランク付けを含む、いくつかの要因に基づいて、そして具体的機能性に基づいて、コントローラ上に編成および設置される。注釈機能群２６０ａは、複数の機能を含み、該複数の機能は、放射線科医が、メモを用いて画像に注釈する、例えば、疑わしい領域をハイライトするためのツールを用いて画像のある区分をマーキングする、注釈を追加する、１つ以上の画像間の面積を連結することを可能にする等である。診断ツール群２６０ｂは、ルーチンスクリーニングおよび診断マンモグラム上の着目領域を識別し、かつマークし、初期読影が完了後、それらに放射線科医の注意を引き付ける、ソフトウェアアプリケーションを起動する、ＣＡＤ（コンピュータ支援検出）等の付加的診断モジュール、機能性、またはソフトウェアを含む、機能を含む。ナビゲーション−患者群２６０ｃは、一般的情報を視認、ナビゲート、および精査するためにワークステーションソフトウェア全体を通して使用される、種々の機能を含む。これらのツールは、汎用的またはより一般的であることができ、患者リスト、患者情報、次に進むおよび前に戻る機能等の異なる機能性全体を通して使用されることができる。画像ツール−グローバル２６０ｄは、放射線科医が患者画像情報または症例検査をグローバルレベルで精査することを可能にする、画像ツールを含む。例えば、本発明者らは、放射線科医が、画像を局所レベルまたはタクティカルレベルで精査する前に、グローバルレベルにおける精査のために利用可能な画像を精査することを理解している。個々の章およびその内容を読み進める前に、章の見出しを伴う書籍内の目次を精査することと同様に、放射線科医は、個々の画像にアクセスすることに先立って、画像概要および患者の履歴を精査することを好む。一部の放射線科医は、症例分析全体を通して、概要に立ち返る。画像ツール−タクティカル２６０ｅは、画像を個々のレベルで操作する、局所画像ツールまたはタクティカル画像ツールを含む。実施形態は、本コンテキストに限定されない。
【００２６】
上記に説明される機能群は、図７Ｄを参照して下記にさらに説明されるように、ホーミング特徴を使用してともにグループ化されてもよい。例えば、タクティカル画像ツールを垂直の物理的溝を使用してともにグループ化し、ナビゲーションツールを水平溝を使用してともにグループ化する。
【００２７】
図２Ｆおよび２Ｇは、いくつかの実施形態による、コントローラ機能群を描写する。いくつかの実施形態では、機能群２５５は、ユーザプログラマブル制御、コンテキストベースの制御、および／またはそれらの組み合わせに適用可能であってもよい。コンテキストベースの制御を参照して上記に説明されたように、いくつかのグループ化は、コンテキストに基づいて動的に変化してもよい一方、その他は、コントローラ２０５上のその場所に恒久的に設置されてもよい。加えて、グループ化は、それらがより頻繁に使用される、またはあまり頻繁に使用されない、コントローラ２０５上の物理的場所に設置されてもよい。例えば、図２Ｆおよび２Ｇは、診断ツールをコントローラの中心により近づけて設置する一方、注釈ツールをコントローラの中心からより遠くに離している様子を描写する。実施形態は、本コンテキストに限定されない。
【００２８】
図２Ｈは、いくつかの実施形態による、コントローラ２０５の第１の上下図を描写する。図２Ｈに示されるように、コントローラ２０５は、例えば、マイクロホン制御ボタン２４０に隣接して位置する、種々の口述制御２６５を含んでもよい。いくつかの実施形態では、口述制御２６５および／またはマイクロホン制御ボタン２４０は、デフォルトまたは固定制御、ユーザ−プログラマブル制御、および／またはコンテキストベースの制御であってもよい。例えば、口述制御２６５は、（例えば、ワークステーションコンピューティングデバイス１３５のモニタ１３０を介して）提示されている保健医療情報注釈画面に応答して、アクティブ化される、プログラムされる、または別様に利用可能にされてもよい。図２Ｉは、いくつかの実施形態による、コントローラ２０５の第２の上下図を描写する。図２Ｊでは、いくつかの実施形態による、コントローラ２０５の側面図が、描写される。図２Ｊに示されるように、コントローラ２０５は、高点から低点へとパームレスト２３０と反対方向に下向きに弧を描き、コントローラ２０５を操作するユーザの手の向上された人間工学的支持を提供するように構成されてもよい。
【００２９】
図３Ａ−３Ｊは、第２の実施形態による、コントローラの種々の側面を描写する。図３Ａを参照すると、そこには、複数のタッチボタン制御３１５と、スクロール制御３２０と、ディスプレイ画面３１０とを含む、コントローラ３０５が描写されている。コントローラ３０５は、複数のタッチボタン制御３１５を含んでもよいが、１つのみが、図を簡略化するために標識される。いくつかの実施形態では、スクロールホイール３２０は、容量タッチスクロール制御を含んでもよい。種々の実施形態では、スクロール制御３２０は、例えば、ＴＯＭＯスライスを通してスクロールするために、コントローラ３０５の表面内に陥凹されてもよい。タッチボタン制御３１５および／またはスクロール制御３２０は、いくつかの実施形態によると、種々の特性を有してもよい。例えば、タッチボタン制御３１５および／またはスクロール制御３２０のうちの１つ以上のものは、いくつかの実施形態によると、コンテキストベースであってもよい。種々の実施形態では、コンテキストベースのタッチボタン制御３１５および／またはスクロール制御３２０のための関連コンテキストは、アクティブ保健医療情報ソフトウェアアプリケーション、ディスプレイ画面３１０を介して提示される情報、および／またはそれらの組み合わせに基づいてもよい。いくつかの実施形態では、タッチボタン制御３１５および／またはスクロール制御３２０のうちの１つ以上のものは、種々の材料、異なるサイズ、異なる輪郭（例えば、凹面、凸面、および／または同等物）、異なる高さ（例えば、コントローラ３０５の表面に陥凹される、そこから隆起される、および／またはそれと水平である）、および／または同等物から形成される等、種々の物理的特性を有してもよい。実施形態は、本コンテキストに限定されない。
【００３０】
種々の実施形態では、ディスプレイ画面３１０は、タッチスクリーン、例えば、マルチタッチ対応画面を含んでもよい。いくつかの実施形態では、ディスプレイ画面３１０は、組み込まれたグラフィックディスプレイを提供し、注釈を補助し、かつ、例えば、オペレータが目を逸らすことを要求せずに、または姿勢変化を要求せずに、第三者関連保健医療情報（例えば、ＲＩＳおよび表記ソフトウェア）を視認するための付加的ディスプレイを提供するように構成されてもよい。加えて、二次画面（例えば、図４Ａ−４Ｄ参照）は、複数のパレットと併用されるとき、アプリケーション間を切り替えるとき、参照または比較のために、および／または同等のことのために、オペレータワークフローを向上させ得る。
【００３１】
いくつかの実施形態では、コントローラ３０５の種々の制御要素は、機能性に従ってグループ化されてもよい。図３Ｂは、いくつかの実施形態による、コントローラ３０５のための機能群３４０を描写する。図３Ｂに示されるように、コントローラは、注釈機能群３４５ａ、診断ツール機能群３４５ｂ、ナビゲーション−患者機能群３４５ｃ、画像ツール−グローバル機能群３４５ｄ、および／または画像ツール−タクティカル機能群３４５ｅを含んでもよい。図３Ｃは、いくつかの実施形態による、コントローラ機能群を描写する。
【００３２】
図３Ｄは、いくつかの実施形態による、コントローラ３０５の上下図を描写する。図３Ｄに描写される実施形態では、コントローラ３０５は、空間３６０がコントローラ下に提供されるように、凹面形状を有してもよい。このように、種々の物体（例えば、ドキュメント、モバイルコンピューティングデバイス、および／または同等物）が、コントローラ３０５の真下または部分的真下の作業表面上に維持されてもよい。
【００３３】
図３Ｅは、いくつかの実施形態による、コントローラ３０５の上下図を描写する。図３Ｅに示されるように、コントローラは、スクロール制御３２０をコントローラの上部部分に含んでもよい。加えて、コントローラ３０５は、コントローラ３０５の動作の間、オペレータが手の一部を静置するためのハンドレスト面積３６５ａおよび３６５ｂを含むように形成されてもよい。いくつかの実施形態では、コントローラ３０５は、側面パームレスト３６５ａと、隆起されたパームレスト面積３６５ｂとを含み、オペレータの手をコントローラ３０５の表面の上方に上昇させる。図３Ｆは、いくつかの実施形態による、図３Ｅに描写されるコントローラ３０５のコントローラ機能群を描写する。図３Ｇは、いくつかの実施形態に従って構成される、コントローラ３０５の正面の部分的上下図を描写する。図３Ｇに示されるように、コントローラ３０５の構成は、スリムな形状因子３７０ａおよび／または可変ボタン高さ３７０ｂ等の種々の特徴３７０ａおよび３７０ｂをコントローラ３０５のユーザに提供し得る。図３Ｈは、いくつかの実施形態による、コントローラ３０５の側面図を描写する。図３Ｈに示されるように、コントローラは、ディスプレイ画面３１０が、ユーザに向かって角度付けられ、表示される情報の視認を促進し、グレアを防止し、および／または同等のことのための、角度特徴３７０ｃを含んでもよい。図３Ｉは、いくつかの実施形態に従って構成される、コントローラ３０５の背面の部分的上下図を描写する。図３Ｉに示されるように、コントローラ３０５は、容量タッチスクロールホイール等のスクロールホイール３２０をその上部部分上に含んでもよい。種々の実施形態では、ディスプレイ３１０のためのタッチ入力は、例えば、ディスプレイ３１０がパームレスト面積として動作し得るように、ユーザがスクロールホイール３２０を使用している場合、非アクティブであってもよい（例えば、掌または手の他の部分によるタッチは、入力として知覚され得ない）。いくつかの実施形態では、コントローラ３０５またはディスプレイ画面等のその一部は、スクロールホイール３２０のためのハンドレストとして作用するように角度付けられてもよい。図３Ｊは、いくつかの実施形態に従って構成される、コントローラ３０５を描写する。図３Ｊに示されるように、ディスプレイ画面３１０は、スマートフォン等のモバイルコンピューティングデバイスの画面を含んでもよい。いくつかの実施形態では、モバイルコンピューティングデバイスは、コントローラ３０５に通信可能に結合され、コントローラ３０５が、情報ビューをモバイルコンピューティングデバイスのディスプレイ画面上に表示することを可能にしてもよい。
【００３４】
図４Ａ−４Ｄは、いくつかの実施形態による、本明細書に説明されるコントローラおよびその変形例のいずれかと併用され得る、コントローラディスプレイ画面を描写する。本明細書に説明されるように、コントローラ３０５は、保健医療情報等の情報をコントローラ３０５のオペレータに提示するためのディスプレイ画面３１０を含んでもよい。図４Ａは、いくつかの実施形態による、ディスプレイ画面３１０上に表示されるように構成される、画面４０５を描写する。図４Ａに示されるように、画面４０５は、ナビゲーション画面を含んでもよい。いくつかの実施形態では、ナビゲーション画面４０５は、ナビゲーションメニュー４１０と、ログイングラフィカルユーザインターフェース（ＧＵＩ）オブジェクト４０５とを含み、ユーザがコントローラ４０５および／または保健医療情報ソフトウェアアプリケーションにログインすることを可能にしてもよい。図４Ｂを参照すると、そこには、患者ナビゲーション画面４０５が描写されている。いくつかの実施形態では、患者ナビゲーション画面は、種々の患者情報（例えば、検査日、患者名、患者識別子、生年月日、および／または同等物）を伴う、患者リスト４２０を含んでもよい。いくつかの実施形態では、オペレータは、患者リスト４２０から患者を選択し、選択された患者に関する患者概要４２５を閲覧してもよい。図４Ｃは、いくつかの実施形態に従って構成される、情報注釈画面４０５を描写する。図４Ｃに示されるように、注釈画面４０５は、いくつかの実施形態による、コントローラ４０５の口述機能を使用して、保健医療情報を注釈付ける機能性を含んでもよい。種々の実施形態では、注釈画面４０５は、口述モード画面４３０と、画面上モード画面４３０とを含んでもよい。図４Ｄは、いくつかの実施形態による、ワークフローおよび構成画面４０５を描写する。図４Ｄに示されるように、オペレータは、ワークフロー概要画面４４０を閲覧し、ワークフロー統計を閲覧してもよい。加えて、オペレータは、画面ツールおよび機能画面４４５にアクセスし、コントローラに関連する種々の設定および／または画像スクロール速度および視覚的設定（例えば、明るさ、コントラスト、および／または同等物）等の保健医療情報ソフトウェアアプリケーションの種々の側面にアクセスし、それを修正してもよい。図４Ａ−４Ｄに描写されるコントローラディスプレイ画面に加え、および／またはそれを介して、ディスプレイ画面３１０は、ＲＩＳ、患者リスト、リスク要因、および／または同等物を表示し、「低解像度」非食品医薬品局（ＦＤＡ）モニタ情報をコントローラ３０５上に容易にアクセス可能な形状因子において提示するように構成されてもよい。このように、オペレータは、ワークステーションから立ち上がる必要なく、または別様にそのような情報にアクセスする必要なく、そのような「低解像度」情報を閲覧し得る。
【００３５】
図５Ａ−５Ｋは、第３の実施形態による、コントローラの種々の側面を描写する。図５Ａを参照すると、そこには、複数のプログラマブルボタン５１０と、メニュートグル５１５と、複数のデフォルトボタン５２０とを含む、コントローラ５０５の上下図が描写されている。プログラマブルボタン５１０、メニュートグル５１５、および／またはデフォルトボタン５２０は、いくつかの実施形態によると、種々の特性を有してもよい。例えば、プログラマブルボタン５１０、メニュートグル５１５、および／またはデフォルトボタン５２０のうちの１つ以上のものは、いくつかの実施形態によると、コンテキストベースであってもよい。いくつかの実施形態では、プログラマブルボタン５１０、メニュートグル５１５、および／またはデフォルトボタン５２０のうちの１つ以上のものは、種々の材料、異なるサイズ、異なる輪郭（例えば、凹面、凸面、および／または同等物）、異なる高さ（例えば、コントローラ３０５の表面に陥凹される、そこから隆起される、および／またはそれと水平である）、および／または同等物から形成される等の種々の物理的特性を有してもよい。実施形態は、本コンテキストに限定されない。
【００３６】
いくつかの実施形態では、プログラマブルボタン５１０および／またはデフォルトボタン５２０は、物理的ボタンを含んでもよい。いくつかの実施形態では、メニュートグル５１５は、オペレータが、プログラマブルボタン状態を通して、例えば、シーケンシャル作動を通してスクロールすることを可能にし得る。いくつかの実施形態では、メニュートグル５１５は、コントローラの上部から、および／またはコントローラのいずれかの側から作動されてもよい（例えば、図５Ｉ参照）。いくつかの実施形態では、プログラマブルボタン５１０および／またはデフォルトボタン５２０は、組み込まれた、および／またはディスプレイを介して提示された、物理的ボタンを含んでもよい。図５Ｂは、コントローラ５０５の背面図を描写する。図５Ｂに示されるように、コントローラ５０５は、表面を横断したコントローラ５０５の移動を検出するように構成される、光学センサ５８０を含んでもよい。種々の実施形態では、光学センサ５８０によって検出されるようなコントローラ５０５の移動は、種々の入力機能をアクティブ化してもよい。例えば、光学センサ５８０は、放射線科医が、コントローラ５０５を横運動または上下運動のいずれかにおいて移動させることによって、ＴＯＭＯスライス等の画像を通してスクロールすることを可能にするように構成されてもよい。
【００３７】
いくつかの実施形態では、コントローラ５０５の種々の制御要素は、機能性に従ってグループ化されてもよい。図５Ｃは、いくつかの実施形態による、コントローラ５０５のための機能群５３０を描写する。図５Ｃに示されるように、コントローラは、注釈機能群５４０ａ、診断ツール機能群５４０ｂ、ナビゲーション−患者機能群５４０ｃ、画像ツール−グローバル機能群５４０ｄ、および／または画像ツール−タクティカル機能群５４０ｅを含んでもよい。図５Ｄ−５Ｇは、いくつかの実施形態による、コントローラ機能群を描写する。
【００３８】
図５Ｈは、いくつかの実施形態に従って構成される、コントローラ５０５の上下図を描写し、図５Ｈに描写されるように、コントローラ５０５は、マイクロホンと、スピーカとを含んでもよい。図５Ｈおよび５Ｉに示されるように、メニュートグル５１５は、例えば、メニュートグルの高さがプログラマブルボタン５１０および／またはデフォルトボタン５２０の高さより高くなり得る、隆起外形を有してもよい。故に、いくつかの実施形態では、メニュートグル５１５は、パームレストとして構成されてもよい。メニュートグル５１５がパームレストとして構成される、ある実施形態では、メニュートグル５１５は、メニュートグル５１５の上部ではなく、コントローラの側面を介して作動されるように構成されてもよい。図５Ｉおよび５Ｊは、コントローラ５０５の側面図を描写する。いくつかの実施形態では、マイクロホンおよび／またはスピーカ５６０は、有線／無線（例えば、Ｂｌｕｅｔｏｏｔｈ（登録商標））スピーカシステムを含み、第三者デバイス（例えば、スマートフォン、ＰＣ、および／または同等物）からの周囲オーディオの再生／記録を可能にしてもよい。いくつかの実施形態では、有線／無線スピーカシステムは、口述システムに接続され、マイクロホンが口述機能においてアクティブである間、オーディオをミュートにしてもよい。図５Ｉおよび５Ｊに示されるように、コントローラ５０５は、光学センサ５８０を介したスクロールの間、オペレータによる把持を促進する、巻着形態５６５を含んでもよい。図５Ｋは、図５Ａ−５Ｊに描写される実施形態に従って構成される、コントローラ５０５の形態に関する種々の変形例５７０ａ−ｆを描写する。
【００３９】
いくつかの実施形態では、コントローラ５０５（およびコントローラ２０５、３０５、および６０５）は、種々の材料から形成されてもよい。いくつかの実施形態では、コントローラ５０５を形成するために使用されるその材料および／またはテクスチャは、コントローラ５０５の部分間にコントラストを提供するように選択される、形成される、構成される、または別様に配列されてもよい。このように、コントローラ５０５の種々の要素は、コントローラを見る必要なく、ユーザがコントローラ５０５上のその手の場所を判別可能である（例えば、ユーザがコントローラ５０５の要素を迅速に絞り込むことを可能にする）ための物理的参照点としての役割を果たし得る。例えば、コントローラ５０５を囲繞する金属バー５８５は、コントローラ、メニュートグル５１５、プログラマブルボタン５１０、および／またはデフォルトボタン５２０（例えば、プラスチックまたはゴム（例えば、熱弾性）材料から形成される）の上部表面と異なるテクスチャまたは感触を有する、材料（例えば、金属材料）から形成されてもよい。いくつかの実施形態では、空洞または「堀」が、プログラマブルボタン５１０および／またはデフォルトボタン５２０のうちの１つ以上のものの周囲に形成されてもよい。種々の実施形態では、物理的マークまたは他の突出部が、メニュートグル５１５、プログラマブルボタン５１０、および／またはデフォルトボタン５２０のうちの１つ以上のもの上に形成されてもよい。いくつかの実施形態では、プログラマブルボタン５１０および／またはデフォルトボタン５２０のうちの１つ以上のものは、異なる形状（例えば、正方形、丸形、凹面上部表面、凸面上部表面、および／または同等物）を有してもよい。いくつかの実施形態では、物理的参照点は、コントローラ５０５の基部表面に対して要素のレベルを変動させることによって構成されてもよい。例えば、メニュートグル５１５、プログラマブルボタン５１０、および／またはデフォルトボタン５２０は、コントローラの基部表面に対して、陥凹される、隆起される、水平（または「同一平面」）にされる、または別様に配列されてもよい。ある実施例では、メニュートグル５１５およびプログラマブルボタン５１０は、コントローラ５０５の基部表面から隆起（相互に対して同一レベルまたは異なるレベル）されてもよい一方、デフォルトボタン５２０は、コントローラ５０５の基部表面に対して水平または陥凹されてもよい。いくつかの実施形態では、機能群５３０と関連付けられたボタンは、異なる機能群５３０と関連付けられたボタンと異なる特性を有してもよい。実施形態は、本コンテキストに限定されない。例えば、１つの機能群５３０は、コントローラ５０５の基部部分に対して第１の外形を有することができる一方、別の機能群５３０は、コントローラ５０５の基部部分に対して第２の外形を有してもよく、第１の外形は、第２の外形と異なる。可変特性が、コントローラ５０５に関して説明されたが、実施形態は、そのように限定されず、コントローラ２０５、３０５、および６０５のいずれかの要素は、コントローラ５０５に関して説明されるような可変の物理的特性を有するように構成されてもよい。
【００４０】
図６Ａ−６Ｋは、第４の実施形態による、コントローラの種々の側面を描写する。図６Ａおよび６Ｂを参照すると、そこには、複数のプログラマブルボタン６１０と、複数のデフォルトボタン６１５と、スクロールホイール６２０とを含む、コントローラ６０５の上下図が描写されている。図６Ｂおよび６Ｃは、コントローラ６０５の底面図を描写する。図６Ｂおよび６Ｃに示されるように、コントローラ６０５は、光学スクロール入力のための光学センサ６２５と、口述制御６３０と、コントローラ６０５の底部側上のスピーカ６３５と含んでもよい。いくつかの実施形態では、コントローラ６０５（およびコントローラ２０５、３０５、および５０５）は、単一コントローラ内におけるＵＳ、ＭＲＩ、ＴＯＭＯ、および／または同等物のためのツールの使用を促進することによって、多モードデジタル画像読影を支援する。
【００４１】
いくつかの実施形態では、コントローラ６０５の種々の制御要素は、機能性に従ってグループ化されてもよい。図６Ｅは、いくつかの実施形態による、コントローラ６０５のための機能群６４０を描写する。図６Ｅに示されるように、コントローラは、注釈機能群６４５ａ、診断ツール機能群６４５ｂ、ナビゲーション−患者機能群６４５ｃ、画像ツール−グローバル機能群６４５ｄ、および／または画像ツール−タクティカル機能群６４５ｅを含んでもよい。図６Ｆ−６Ｋは、いくつかの実施形態による、コントローラ機能群を描写する。
【００４２】
図７Ａ−７Ｌは、第５の実施形態による、コントローラの種々の側面を描写する。図７Ａを参照すると、そこには、複数のタッチボタン制御７１５と、スクロールホイール７２０と、ディスプレイ画面７１０とを含む、コントローラ７０５が描写されている。コントローラ７０５は、複数のタッチボタン制御７１５ａおよび７１５ｂを含んでもよいが、２セットのみが、図を簡略化するために標識される。いくつかの実施形態では、スクロールホイール７２０は、図７Ｃにさらに図示および説明されるように、物理的スクロールホイールを含む。ディスプレイ７１０は、マルチタッチカラーディスプレイを含んでもよく、これは、ＬＣＤタッチスクリーンであってもよく、レスト面積７３０によって囲繞されるコントローラ７０５に対して中心に延在する。
【００４３】
コントローラ７０５は、ディスプレイ画面７１０とともに、ワークステーション１２０のディスプレイ１３０の延在部として使用されてもよい。そのようなディスプレイ延在部は、異なる場所に移動することによって注意が逸らされるのではなく、放射線科医を読影ゾーン内に保ち、ワークステーション１２０上に表示される画像に集中することを可能にする。加えて、ワークステーション１２０上のディスプレイ画面は、診断およびスクリーニングＸ線および他のモダリティを視認するためにカスタマイズされ、ＦＤＡによって承認されている、高解像度高ピクセル数ディスプレイである。画像概要（すなわち、「ＭａｍｍｏＮａｖｉｇａｔｏｒ」）および注釈ツール等のより低い解像度の機能のためにディスプレイ画面７１０を利用することによって、ワークステーション１２０の全体的コストおよび付加的な高価な診断画面１３０を提供する必要性を低減させる。
【００４４】
いくつかの実施形態では、ディスプレイ画面７１０は、組み込まれたグラフィックディスプレイを提供し、注釈を補助し、かつオペレータが、例えば、患者記録または履歴を閲覧するために異なる場所に物理的に移動することを要求せずに、第三者関連保健医療情報（例えば、ＲＩＳおよび表記ソフトウェア）を視認するための付加的ディスプレイを提供するように構成されてもよい。加えて、患者情報のために使用される二次画面（例えば、図４Ａ−４Ｄ参照）は、複数のパレットと併用されるとき、アプリケーション間で切り替えるとき、基準または比較のために、および／または同等のことのために、オペレータワークフローを向上させ得る。いくつかの実施形態では、ディスプレイ７１０は、画像タッチ制御特徴を使用して、画像内での直接注釈のために使用されてもよい。例えば、放射線科医は、ディスプレイ７１０上のマンモグラフィ画像を視認してもよく、タッチ特徴を使用して、疑わしい領域を示す画像の一部をマークまたはハイライトし、経過観察画像または手技を示す表記を追加してもよい。他の実施形態では、ディスプレイ画面７１０は、ワークステーションディスプレイ１３０上に表示されるモダリティと異なるモダリティを表示してもよい。例えば、ワークステーション１２０のディスプレイ１３０は、１つのモダリティ（すなわち、マンモグラフィ）と関連付けられたディスプレイ画像のために使用されてもよい一方、ディスプレイ画面７１０は、別のモダリティ（すなわち、超音波またはＭＲＩ）と関連付けられた画像を表示してもよい。別の実施形態では、ディスプレイ１３０は、１つの画像ビュー、例えば、左ＣＣビューを表示するために使用される一方、ディスプレイ画面７１０は、別の画像ビュー、例えば、左ＭＬＯビューを表示するために使用されることができる。別の実施形態では、ディスプレイ７１０は、患者の画像の概要（すなわち、「ＭａｍｍｏＮａｖｉｇａｔｏｒ」）を閲覧するために使用されることができる。ディスプレイ７１０上のそのような拡張閲覧は、１つの画像または保健医療情報をディスプレイ７１０上で基準画像として使用しながら、ワークステーション１２０上で付加的画像を精査することを可能にするため、放射線科医のワークフローを改良することを理解されたい。
【００４５】
いくつかの実施形態では、ディスプレイ７１０は、トグルディスプレイ制御７２５を含んでもよい。適応ディスプレイ制御７４０（下記にさらに説明される）に類似する、トグルディスプレイ制御７２５は、コンテキストベースかつ動的である。他の実施形態では、トグルディスプレイ制御７２５は、ユーザがいくつかの機能およびオプションを通してトグルすることを可能にすることができる。例えば、コントローラ７０５は、ディスプレイ画面７１０を介して、トグルコマンドをユーザから受信し、第１のトグルディスプレイ制御のセット７２５を表示してもよい。コントローラ７０５は、別のトグルコマンドを受信し、第２のトグルディスプレイ制御のセット７２５を表示することができる。一実施例では、第１のトグル制御のセットは、図２Ｋを参照して説明されるツール２５０ａ等の画像操作ツールを含んでもよく、第２のトグル制御のセットは、ツール２５０ｃ等の注釈ツールを含んでもよい。ユーザは、画像操作と注釈ツールとの間でトグルし、異なる機能性が同一ディスプレイ画面７１０上で使用されることを可能にし得る。これは、放射線科医が画面を精査することを阻害する可視制御の最小限化を可能にする。本発明者らによって、精査画面を最大限にすることは、画面上で画像を精査することから最小限に注意が逸らされる状態を提供すると理解されている。
【００４６】
種々の実施形態では、ディスプレイ画面７１０は、加えて、ワークステーション１２０のナビゲーション制御のために使用されてもよい。例えば、ユーザは、本特徴をオンまたはオフにトグルしてもよく、オンにトグルされると、ディスプレイ画面７１０は、ディスプレイの表面に対するユーザの指の２次元運動を検出する、ポインティングデバイスとして機能する。指の運動は、ワークステーションディスプレイ１２０上のポインタの運動に変換され、さらに、ディスプレイ１２０上のグラフィカルユーザインターフェース（コンピュータラップトップ上のトラックパッドに類似する）の平滑制御を可能にし得る。本発明者らは、そのような機能性が、典型的には、複数のワークステーションおよびディスプレイが使用されるとき、ワークステーションおよびディスプレイのそれぞれと関連付けられるであろう、余剰ポインティングデバイスの使用をユーザが排除することを可能にすると理解している。これは、複数のポインティングデバイスが複数のワークステーションと併用され得るため、ユーザが、デスクトップ上の作業空間を増加させ、混乱を低減させることを可能にする。
【００４７】
種々の実施形態では、ディスプレイ画面７１０の一部は、いくつかの実施形態によると、例えば、図２Ａおよび２Ｋを参照して上記に説明され、加えて、図７Ｂに示されるように、コンテキストベースであり得る、適応ディスプレイ制御７４０を含む。種々の実施形態では、コンテキストベースの適応ディスプレイ制御７４０のための関連コンテキストは、表示されている画像モダリティ、提示されている機能性、またはディスプレイ画面７１０を介して提示される情報、および／またはそれらの組み合わせに基づいてもよい。
【００４８】
一実施形態では、適応ディスプレイ制御７４０は、それが実施する機能の記号を表示してもよい。ユーザは、適応ディスプレイ制御７４０の機能を再定義してもよく、再プログラムされた機能と関連付けられた記号は、適応ディスプレイ制御７４０の新しい機能を示すように現れ得る。いくつかの実施形態では、カスタマイズおよび選好は、ハードウェアコントローラとワークステーション１２０上に表示されるソフトウェアとの間で共有される。例えば、ユーザは、ワークステーション上に表示されるソフトウェア上の機能を定義してもよく、同一機能は、コントローラ２０５上に表示される。
【００４９】
コンテキスト適応ディスプレイ機能性に加え、適応ディスプレイ制御７４０は、水平スクロールホイールとして機能することができる。例えば、適応ディスプレイ制御７４０の区分全体が、使用され、自身の指を適応ディスプレイ制御区分の片側から他側に移動させるユーザからの入力を受け取るように構成されることができる。そのような水平スクロールは、一実施例では、異なる時間点で撮影された画像またはさらに同時に撮影された異なる画像等の画像のタイムライン進行度を閲覧するために使用されることができる。適応ディスプレイ制御７４０は、スクロール入力を異なる速度で受信することができ、コントローラ７０５は、移動の異なる速度を異なるスクロール速度に相関させることができる。本発明者らによって、そのような水平スクロール運動は、異なる時間に撮影された画像を通したスクロールと関連付けられたスクロール機能のためにより直感的であると理解されている。順に、物理的スクロールホイールは、垂直方向に回転され、そのような運動は、断層撮影画像を通したスクロールのためにより直感的である。
【００５０】
いくつかの実施形態では、タッチボタン制御７１５ａおよび７１５ｂのうちの１つ以上のものは、種々の材料、異なるサイズ、異なる輪郭（例えば、凹面、凸面、および／または同等物）、異なる高さ（例えば、コントローラ７０５の表面から陥凹される、隆起される、および／またはそれと水平である）、および／または同等物から形成される等、種々の物理的特性を有してもよい。例えば、図７Ｂに示されるように、タッチボタン制御７１５ａは、第１の階層機能を含んでもよく、これは、より頻繁または汎用的に使用される。タッチボタン制御７１５ａは、コントローラ７０５の表面の上方に隆起されてもよい。タッチボタン制御７１５ｂは、第２の階層機能を含んでもよく、ボタンは、コントローラ７０５の表面の下方に陥凹されてもよい。これは、レスト面積７３０上に静置するとき、ユーザの掌がボタンを掌で偶発的にアクティブ化しないようにすることを可能にする。図２Ｂを参照して上記に説明されたように、ボタンは、正方形、丸形であってもよい、またはさらに、ボタン７１５ａおよび７１５ｂを包囲する溝等、コントローラ７０５の表面上の群特徴を含んでもよい。
【００５１】
一般に、「レスト面積」（例えば、パームレスト面積７４５）として構成される、コントローラ７０５の面積は、機能インターフェース（例えば、タッチボタン制御７１５ａおよび７１５ｂおよびディスプレイ７１０）の周囲に構成されながら、機能をアクティブ化せずに、手の一部が静置することを可能にしてもよい。レスト面積として指定される表面は、鋭的縁を欠いたアプローチゾーンおよびアクティブパーム／ハンドレストであるように意図される。図７Ａに示される実施例では、レスト面積７３０は、ディスプレイ７１０の周の周囲に蹄鉄様式で延在し、破線７４５によって示されるように、スクロール縁７０８から開始し、コントローラ７０５の長さにわたって垂直に、コントローラ７０５の底部に沿って水平に、そしてコントローラ７０５の長さにわたって垂直に、縁７０６で終了する。実施形態は、本コンテキストに限定されない。
【００５２】
種々の実施形態では、コントローラ７０５は、図７Ｄに示されるように、物理的ホーミング特徴を含んでもよい。ホーミング特徴は、ユーザが、それを見下ろすことなく、コントローラ７０５上のユーザの手の場所を識別することを可能にする、物理的特性を含む。ホーミング特徴７１１、７１２、７１３、７１４が、示されるが、実施形態は、本コンテキストに限定されない。ホーミング特徴７１１は、タッチ制御ボタン７１５ｂのうちの１つ上に３つの隆起ドットを含む。隆起ドットにタッチするユーザの手は、コントローラ７０５の縁との近接度等の、他の物理的インジケータとともに、ユーザの手がデバイスの左下角に位置することを把握するであろう。ホーミング特徴７１２は、コントローラ７０５の中心における単一隆起ドットであって、ユーザの手の中心場所を示す。ホーミング特徴７１３および７１４は、上記に説明されたように、タッチ制御ボタン７１５ｂを包囲およびグループ化する溝である。７１４等の垂直グループ化は、１つの機能性を示す一方、７１３等の水平グループ化は、別の機能性を示す。本願の範囲内であるこれらおよび他のホーミング特徴は、ユーザの注意が逸れる量を最小限にし、彼らがあるタスクおよび機能の物理的記憶を構築することに時間がかかるタスクを「オートパイロット」式に実施することを可能にする。
【００５３】
タッチ制御ボタン７１５ｂのうちのいくつかは、多機能動作を含んでもよく、例えば、図７Ｄに示されるタッチ制御ボタン７１５ｂは、３つの隆起ドットホーミング特徴を有する。多機能制御の一実施例は、シーケンシャルボタン制御を含む。シーケンシャルボタン制御は、コントローラ７０５内に含まれるより大量の機能性を可能にしながら、コントローラの占有面積またはサイズを最小限にする。一実施例では、シーケンシャルボタン制御は、シーケンシャルボタンをトグルまたは押下することによってアクセスされ得る、２つ以上の機能を有することができる。例えば、シーケンシャルボタンは、第１の機能性にアクセスするために１回押下されて、シーケンシャルボタンは、次いで、第２の機能性にアクセスするために再び押下され、第１の機能性に戻るために再び押下されてもよい。シーケンシャルボタン制御の中にプログラムされる任意の数の機能が、検討される。別の実施例では、触知ボタン制御が、振動フィードバックをユーザに送信し、多機能動作における第１の機能または第２の機能のアクティブ化を示すために使用されてもよい。
【００５４】
いくつかの実施形態では、スクロールホイール７２０は、図７Ｃに示されるように、スクロール速度を変調することを可能にする、２つの縁７０６および７０８と、中心区分７０７とを有する、テーパ状設計を含む。端部７０６および７０８の幅は、中心区分７０７より小さい直径を備え、可変入力比率をもたらす。縁７０６および７０８から中心区分７０７へのテーパは、漸次的であって、縁から中心へと徐々に変化する可変入力比率を可能にする。放射線科医は、より小さい直径縁７０６および７０８を左手または右手のいずれかでタッチし、スクロール機能にアクセスしてもよい。より高速でスクロールさせるために、放射線科医は、スクロールホイールのより小さい直径の外側寄りの縁を使用し、より低速でスクロールさせるために、スクロールホイール７２０の中心のより大きい直径区分を使用することができる。スクロールホイール７２０は、縁７０６から縁７０８までの長さを有する、溝を含む。溝の数は、スクロールホイール７２０の円周を囲繞し、ユーザによるスクロールホイールの容易な制御を可能にする。一例示的実装では、スクロールホイールは、回転Ｘ線源および検出器の異なる角度で撮影された、いくつかの画像またはスライス（例えば、１５枚の画像）を有する、断層撮影（「Ｔｏｍｏ」）画像を通してスクロールするために使用されることができる。放射線科医は、全てのＴｏｍｏ画像を通して迅速にスクロールし、患者の概要を得て、次いで、特に着目されると見なされる画像または疑わしい癌性領域の兆候を示す画像を精査しながら、ゆっくりとスクロールすることを好み得る。
【００５５】
図７Ｅ−７Ｌは、コントローラ７０５の付加的図を示す。
【００５６】
図８は、ある実施形態による、例証的デバイスを描写する。より具体的には、図８は、例示的システム実施形態の略図であって、特に、プラットフォーム８００を描写し、これは、種々の要素を含み得る。例えば、本図は、プラットフォーム（システム）８００が、プロセッサ／グラフィックコア８０２と、チップセット／プラットフォーム制御ハブ（ＰＣＨ）８０４と、入力／出力（Ｉ／Ｏ）デバイス８０６と、ランダムアクセスメモリ（ＲＡＭ）（動的ＲＡＭ（ＤＲＡＭ）等）８０８と、読取専用メモリ（ＲＯＭ）８１０と、ディスプレイ電子機器８２０と、種々の他のプラットフォーム構成要素８１４（例えば、ファン、直交流送風機、放熱板、ＤＴＭシステム、冷却システム、筐体、通気口、および／または同等物）とを含んでもよいことを描写する。システム８００はまた、無線通信チップ８１６と、グラフィックデバイス８１８とを含んでもよい。しかしながら、実施形態は、これらの要素に限定されない。
【００５７】
描写されるように、Ｉ／Ｏデバイス８０６、ＲＡＭ８０８、およびＲＯＭ８１０は、チップセット８０４を経由して、プロセッサ８０２に結合される。チップセット８０４は、バス８１２によって、プロセッサ８０２に結合されてもよい。故に、バス８１２は、複数のラインを含んでもよい。
【００５８】
プロセッサ８０２は、１つ以上のプロセッサコアを備える、中央処理ユニットであってもよく、任意の数のプロセッサコアを有する、任意の数のプロセッサを含んでもよい。プロセッサ８０２は、例えば、ＣＰＵ、マルチ処理ユニット、縮小命令セットコンピュータ（ＲＩＳＣ）、パイプラインを有するプロセッサ、複合命令セットコンピュータ（ＣＩＳＣ）、デジタル信号プロセッサ（ＤＳＰ）等、任意のタイプの処理ユニットを含んでもよい。いくつかの実施形態では、プロセッサ８０２は、別個の集積回路チップ上に位置する複数の別個のプロセッサであってもよい。いくつかの実施形態では、プロセッサ８０２は、統合されたグラフィックを有する、プロセッサであってもよい一方、他の実施形態では、プロセッサ８０２は、グラフィックコアまたはコアであってもよい。
【００５９】
開示されるデバイスのいくつかの実施形態は、例えば、記憶媒体、コンピュータ可読媒体、または製造品を使用して実装されてもよく、これは、機械（すなわち、プロセッサまたはマイクロコントローラ）によって実行される場合、機械に本開示の実施形態による方法および／または動作を実施させ得る、命令または命令のセットを記憶してもよい。加えて、サーバまたはデータベースサーバは、機械実行可能プログラム命令を記憶するように構成される、機械可読媒体を含んでもよい。そのような機械は、例えば、任意の好適な処理プラットフォーム、コンピューティングプラットフォーム、コンピューティングデバイス、処理デバイス、コンピューティングシステム、処理システム、コンピュータ、プロセッサ、または同等物を含んでもよく、ハードウェア、ソフトウェア、ファームウェア、またはそれらの組み合わせの任意の好適な組み合わせを使用して実装され、システム、サブシステム、構成要素、またはそのサブ構成要素内で利用されてもよい。コンピュータ可読媒体または物品は、例えば、任意の好適なタイプのメモリユニット、メモリデバイス、メモリ物品、メモリ媒体、記憶デバイス、記憶装置物品、記憶媒体および／または記憶ユニット、例えば、メモリ（非一過性メモリを含む）、可撤性または非可撤性媒体、消去可能または非消去可能媒体、書込可能または再書込可能媒体、デジタルまたはアナログ媒体、ハードディスク、フロッピー（登録商標）ディスク、コンパクトディスク読取専用メモリ（ＣＤ−ＲＯＭ）、コンパクトディスク記録可能コンパクトディスク（ＣＤ−Ｒ）、コンパクトディスク再書込可能コンパクトディスク（ＣＤ−ＲＷ）、光ディスク、磁気媒体、磁気光学媒体、可撤性メモリカードまたはディスク、種々のタイプのデジタル多用途ディスク（ＤＶＤ）、テープ、カセット、または同等物を含んでもよい。命令は、ソースコード、コンパイルコード、解釈コード、実行可能コード、静的コード、動的コード、暗号化コード、および同等物等の任意の好適なタイプのコードを含み、任意の好適な高レベル、低レベル、オブジェクト指向、視覚的、コンパイル、および／または解釈プログラミング言語を使用して実装されてもよい。
【００６０】
本明細書で使用されるように、単数形で列挙され、単語「ａ」または「ａｎ」が先行する要素または動作は、除外が明示的に列挙されない限り、複数要素または動作を除外しないと理解されるべきである。さらに、本開示の「一実施形態」の言及は、列挙される特徴もまた組み込む、付加的実施形態の存在を除外するように解釈されることを意図するものではない。
【００６１】
本開示は、本明細書に説明される具体的実施形態によって範囲を限定されない。実際、本開示の他の種々の実施形態および修正は、それらの本明細書に説明されるものに加え、前述の説明および付随の図面から当業者に明白となるであろう。したがって、そのような他の実施形態および修正は、本開示の範囲内にあると意図される。さらに、本開示は、特定の目的のための特定の環境内における特定の実装のコンテキストにおいて本明細書に説明されたが、当業者は、その有用性が、それらに限定されず、本開示は、任意の数の目的のために任意の数の環境内で有益に実装され得ることを認識するであろう。故に、下記に記載される請求項は、本明細書に説明されるように、本開示の全体の広さおよび精神に照らして解釈されるべきである。
【図１】
2020501246.tif 000003
【図２Ａ】
2020501246.tif 000004
【図２Ｂ】
2020501246.tif 000005
【図２Ｃ】
2020501246.tif 000006
【図２Ｄ】
2020501246.tif 000007
【図２Ｅ】
2020501246.tif 000008
【図２Ｆ】
2020501246.tif 000009
【図２Ｇ】
2020501246.tif 000010
【図２Ｈ】
2020501246.tif 000011
【図２Ｉ】
2020501246.tif 000012
【図２Ｊ】
2020501246.tif 000013
【図２Ｋ】
2020501246.tif 000014
【図３Ａ】
2020501246.tif 000015
【図３Ｂ】
2020501246.tif 000016
【図３Ｃ】
2020501246.tif 000017
【図３Ｄ】
2020501246.tif 000018
【図３Ｅ】
2020501246.tif 000019
【図３Ｆ】
2020501246.tif 000020
【図３Ｇ】
2020501246.tif 000021
【図３Ｈ】
2020501246.tif 000022
【図３Ｉ】
2020501246.tif 000023
【図３Ｊ】
2020501246.tif 000024
【図４Ａ】
2020501246.tif 000025
【図４Ｂ】
2020501246.tif 000026
【図４Ｃ】
2020501246.tif 000027
【図４Ｄ】
2020501246.tif 000028
【図５Ａ】
2020501246.tif 000029
【図５Ｂ】
2020501246.tif 000030
【図５Ｃ】
2020501246.tif 000031
【図５Ｄ】
2020501246.tif 000032
【図５Ｅ】
2020501246.tif 000033
【図５Ｆ】
2020501246.tif 000034
【図５Ｇ】
2020501246.tif 000035
【図５Ｈ】
2020501246.tif 000036
【図５Ｉ】
2020501246.tif 000037
【図５Ｊ】
2020501246.tif 000038
【図５Ｋ】
2020501246.tif 000039
【図６Ａ】
2020501246.tif 000040
【図６Ｂ】
2020501246.tif 000041
【図６Ｃ】
2020501246.tif 000042
【図６Ｄ】
2020501246.tif 000043
【図６Ｅ】
2020501246.tif 000044
【図６Ｆ】
2020501246.tif 000045
【図６Ｇ】
2020501246.tif 000046
【図６Ｈ】
2020501246.tif 000047
【図６Ｉ】
2020501246.tif 000048
【図６Ｊ】
2020501246.tif 000049
【図６Ｋ】
2020501246.tif 000050
【図７Ａ】
2020501246.tif 000051
【図７Ｂ】
2020501246.tif 000052
【図７Ｃ】
2020501246.tif 000053
【図７Ｄ】
2020501246.tif 000054
【図７Ｅ】
2020501246.tif 000055
【図７Ｆ】
2020501246.tif 000056
【図７Ｇ】
2020501246.tif 000057
【図７Ｈ】
2020501246.tif 000058
【図７Ｉ】
2020501246.tif 000059
【図７Ｊ】
2020501246.tif 000060
【図７Ｋ】
2020501246.tif 000061
【図７Ｌ】
2020501246.tif 000062
【図８】
2020501246.tif 000063
【国際調査報告】
2020501246.tif 000064
2020501246.tif 000065
2020501246.tif 000066